(57)【特許請求の範囲】
【請求項１】
凍結真空乾燥庫内に上下に複数段配設された棚板と、前記凍結真空乾燥庫の一側壁に形成された開口と、該開口を開閉するゲートとを備え、前記ゲートを開にして前記開口から被凍結乾燥体を前記凍結真空乾燥庫内に入庫手段により上段より順次前記棚板上に供給し、前記被凍結乾燥体を凍結真空乾燥するようにした凍結真空乾燥方法において、所定数の被凍結乾燥体を供給された前記棚板内には冷媒を流すが、他の空の前記棚板には冷媒を流さないようにしたことを特徴とする凍結真空乾燥方法。
【請求項２】
凍結真空乾燥庫内に上下に複数段配設された棚板と、前記凍結真空乾燥庫の一側壁に形成された開口と、該開口を開閉するゲートとを備え、前記ゲートを開にして前記開口から被凍結乾燥体を前記凍結真空乾燥庫内に入庫手段により上段より順次前記棚板上に供給し、前記被凍結乾燥体を凍結真空乾燥するようにした凍結真空乾燥方法において、全段の前記棚板にそれぞれ所定数の被凍結乾燥体を供給するまでは、冷媒に該棚をバイパスさせるようにして前記棚板内には冷媒を流さないようにし、全段の前記棚板にそれぞれ所定数の被凍結乾燥体が供給されると、一斉に冷媒が各棚に流されて被凍結乾燥体が同等に冷却されることを特徴とする凍結真空乾燥方法。
【請求項３】
被凍結乾燥物を導入する為の開口を有し、複数の上下に配設された棚を内蔵する凍結真空乾燥庫と、冷媒を循環させる冷媒循環手段と、前記開口を開閉するゲートと、該ゲートを開放して外部から被凍結乾燥物を一個宛又は横一列宛、前記凍結真空乾燥庫内の前記棚の一つに被凍結乾燥物を供給する供給装置と、前記各棚を上下動させる棚昇降機構とを備え、前記棚内に前記冷媒循環手段により冷媒を流して、該棚上の前記被凍結乾燥物を冷凍させるようにした凍結真空乾燥装置において、前記冷媒循環手段にバイパス弁及び前記棚の数に応じた数の仕切弁を設け、所定数の被凍結乾燥物を供給されていない棚に対応する仕切弁は閉状態にして、該棚内には冷媒を流さないようにし、前記バイパス弁を介して冷媒に該棚をバイパスさせるようにした
ことを特徴とする凍結真空乾燥装置。
【請求項４】
前記冷媒循環手段は入口ヘッダーと出口ヘッダーとを含み、これらヘッダーはバイパス管路で接続され、前記入口ヘッダーと出口ヘッダーとは前記棚の各々とそれぞれ管路で接続され、前記バイパス弁は前記バイパス管路に配設されていて、前記仕切弁の各々は前記入口ヘッダー側の管路にそれぞれ配設されている
ことを特徴とする請求項３に記載の凍結真空乾燥装置。
【請求項５】
被凍結乾燥物を導入する為の開口を有し、複数の上下に配設された棚を内蔵する凍結真空乾燥庫と、冷媒を循環させる冷媒循環手段と、前記開口を開閉するゲートと、該ゲートを開放して外部から被凍結乾燥物を一個宛又は横一列宛、前記凍結真空乾燥庫内の前記棚の一つに被凍結乾燥物を供給する供給装置と、前記各棚を上下動させる棚昇降機構とを備え、前記棚内に前記冷媒循環手段により冷媒を流して、該棚上の前記被凍結乾燥物を冷凍させるようにした凍結真空乾燥装置において、前記冷媒循環手段にバイパス弁及び前記棚の数に応じた数の仕切弁を設け、所定数の被凍結乾燥物を供給されていない棚に対応する仕切弁は閉状態にして、該棚内には冷媒を流さないようにし、前記バイパス弁を介して冷媒に該棚をバイパスさせるようにし、入庫の完了した棚を順次急冷していく場合、全段の棚が一様に急冷できるように冷媒流量を一定とするためのバイパス弁の開度をコントロールして圧力を一定に制御する機構を取り付けた
ことを特徴とする請求項４に記載の凍結真空乾燥装置。
【請求項６】
前記バイパス弁は流量調節機能を有し、前記入口ヘッダーに接続された圧力調節計の出力を受けて、弁開度が調節される
ことを特徴とする請求項５に記載の凍結真空乾燥装置。
【請求項７】
前記被凍結乾燥体はバイアル瓶である
ことを特徴とする請求項１〜６に記載の凍結真空乾燥装置。
【発明の詳細な説明】
【０００１】
【発明の属する技術分野】
本発明は、被乾燥体を凍結状態で真空乾燥する凍結真空乾燥装置に関する。
【０００２】
【従来の技術】
図４は、被乾燥体の一例として、薬液２が分注されたバイアル瓶１を示す。符号３はバイアル瓶１の蓋であるゴム栓３を示す。ゴム栓３は円盤形状であるキャップ部４とバイアル瓶１の開口部１ａに挿入される部分である円筒形状の胴部５とから成り、胴部５には切欠き５ａが形成されている。
【０００３】
蒸気滅菌・無菌処理されているバイアル瓶１及び薬液２を、図４に示すようにバイアル瓶１の開口部１ａに、ゴム栓３の胴部５を半分ぐらい挿入させた状態で、後述する凍結真空乾燥装置の凍結乾燥庫内で凍結真空乾燥させる。凍結乾燥庫内では、バイアル瓶１の内部と凍結乾燥庫内の空間とは、切欠き５ａを介して連通しており、バイアル瓶１内の薬液２は凍結真空乾燥され、その溶媒が昇華され、溶質が残る。凍結真空乾燥された後は、ゴム栓３が打栓（封栓）され完全にバイアル瓶１の蓋は閉められ、この内部に分注されている薬品は密封される。
【０００４】
図５に、従来の凍結真空乾燥装置１０の一例を示す。凍結乾燥庫１１内には複数段（図示では６段）の棚板１２が配設されている。凍結乾燥庫１１の一側壁には開口１３が形成され、この開口１３を開閉するゲート１４が設けられている。ゲート１４はゲート駆動シリンダ１５によって駆動される。
【０００５】
開口１３の前（凍結乾燥庫１１の外部）には入庫用コンベア１７が配設されている。凍結乾燥庫１１内の棚板１２と入庫用コンベア１７との間には、入庫用コンベア１７と上面のレベルを一致させて入庫用渡り板１６が設けられている。入庫用コンベア１７と入庫用渡り板１６との間及び入庫用渡り板１６と棚板１２との間の間隙は、それぞれバイアル瓶１の太さ（直径）より小さい。更に、凍結乾燥庫１１の外部には入庫用コンベア１７によって搬送されてきたバイアル瓶１を入庫用渡り板１６を介して棚板１２の上に押し入れる入庫プッシャー１８が配設されている。入庫プッシャー１８は、シリンダ１８ｃと、シリンダ１８ｃによって駆動される駆動ロッド１８ｂと、駆動ロッド１８ｂの先端に取り付けられバイアル瓶１に当接する部分であるプッシャー部１８ａとからなる。
【０００６】
入庫用渡り板１６の下側には、これと同様な出庫用渡り板１９が、棚板１２から、バイアル瓶１の太さより小さい間隙を隔てて設けられ、更に出庫用渡り板１９から、バイアル瓶１の太さより小さい間隙を隔てて出庫用コンベア２０が配設されている。これら出庫用渡り板１９及び出庫用コンベア２０が配設されている側の凍結乾燥庫１１の側壁と対向する側の側壁には、シール２２を介して出庫プッシャー２１が取り付けられている。出庫プッシャー２１は、シリンダ２１ｃと、シリンダ２１ｃによって駆動される駆動ロッド２１ｂと、駆動ロッド２１ｂの先端に取り付けられバイアル瓶１に当接する部分であるプッシャー部２１ａとからなる。
【０００７】
複数の段からなる棚板１２は、例えば本出願人による特開平５−１１３２９１号公報に示されているように、昇降手段によって入庫時には入庫用渡り板１６にその上面レベルを順次位置合わされ、出庫時には出庫用渡り板１９に順次位置合わせされる。
【０００８】
従来の凍結真空乾燥装置１０は以上のように構成されるが、次にその作用について説明する。
【０００９】
先ず、図５及び図６を参照してバイアル瓶１の凍結乾燥庫１１への入庫について説明する。図６は、入庫時の作用をわかりやすくするために図５における凍結乾燥庫１１内を平面的に示した模式図であるが、入庫用コンベア１７により１列もしくは２列に搬送されてきたバイアル瓶１は、入庫用コンベア１７上のゲート２３を所定のタイミングで開閉させ、所定の本数が入庫用渡り板１６と入庫プッシャー１８との間に並べられる。そして、入庫プッシャー１８の駆動ロッド１８ｂを駆動させプッシャー部１８ａを横一列に並んだバイアル瓶１に当接させて押し、入庫用渡り板１６を介して、凍結乾燥庫１１内の棚板１２上に載せる。これを繰り返して、図６Ｂに示すように棚板１２の上に次々とバイアル瓶１を載せていく。他の段の棚板１２についても、後述する昇降手段により棚板１２を入庫位置に合わせ、同様にバイアル瓶１を載せていく。バイアル瓶１の入庫が終わると、ゲート１４により開口１３を閉じて凍結真空乾燥を行う。なお、出庫についての作用は省略する。
【００１０】
以上は従来例の凍結真空乾燥装置であるが、この各棚板に対する冷媒の供給方法を明確にしたのが図７及び図８に示される装置であるが、上記従来例と形状は異なるものの作用及び機能は同一のものである。
なお、対応するものについては多少形状は異なるので、同一符号を付しこれにダッシュ（’）を付ける。凍結乾燥庫１１’内に、上記従来例と同様に複数段の棚板１２’1 〜１２’5 が上下に配設されており、これは昇降機構３８により上下に駆動されるようになっている。また、凍結乾燥庫１１’の前壁にはシール部材を介して前壁１１’ａがとりつけられており、この中央よりやや下方に形成された開口１３’を開閉するゲート１４’が設けられている。さらにこの左方には、プッシャー装置１８’が設けられており橋渡板１６’を前端にとりつけている。
凍結乾燥庫１１’内には、入口ヘッダー３０及び出口ヘッダー３２が配設されており、それぞれの冷媒導入管３０ａ及び冷媒導出管３２ａは、これらに一体的に形成されている。凍結乾燥庫１１’の外方には冷却装置３４が設けられておりこれから冷媒が循環ポンプ３６により吸込まれる。よって入口ヘッダー３０に冷媒が導入され、これから管路４０を介して棚板１２’1 〜１２’5 に各々冷媒が流入され、管路４０’を通って出口ヘッダー３２側に流出する。ここから導出管３２ａを通って冷却装置３４に戻る。よって外方管路４２、入口ヘッダー３０、内方管路４０，棚板１２’、管路４０’及び出口ヘッダー３２の順に冷媒が循環され、バイアル瓶１の入庫前から棚板１２’が冷却されている。
【００１１】
次にバイアル瓶１の入庫について説明する。
図８において、ゲート１４’は上方へと解放されプッシャー装置１８’によりバイアル瓶１が上記従来例と同様に入庫される。なお、図示では棚１２’3にバイアル瓶１が入庫されているところを示している。棚１２’2には所定数のバイアル瓶１が既に入庫された状況を示している。順次各棚１２’に所定数のバイアル瓶１が入庫される。よって全段の棚１２’にそれぞれバイアル瓶１が所定数入庫されるとゲート１４’を閉めて図示しない真空装置により庫内が排気される。よって凍結真空乾燥が行われるのであるが、以下のような問題点を有する。
すなわち、図７で明らかなようにバイアル瓶１の入庫前から各棚板１２’1〜１２’5は冷却されているため、図８のように入庫されたバイアル瓶１中の薬液２は過冷却状態になる。そこへ後から入庫されるバイアル瓶１がプッシャー装置１８’で押されてきてバイアル瓶同士がぶつかり合い、過冷却状態にあるバイアル瓶が衝撃を受けると中の薬液２は過冷却状態が破られて一気に凍結する。この状態を繰り返しながら全部の入庫を終え、真空乾燥を行うと、得られる薬剤の品質が不均一となる不具合が生じる。
【００１２】
また、図７で明らかなようにバイアル瓶１の入庫中には、開口１３’を介して庫内１１’と外気が連通しているため、大気中の水分が各棚板１２’1〜１２’5に凝結して露となり、バイアル瓶１の入庫の障害となった。さらに、入庫中に開口１３’から冷気が流れ出て、プッシャー１８’を含む入庫装置を冷却し、結露を生じて自動入庫機構の障害となる懸念があった。
【００１３】
【発明が解決しようとする課題】
本発明は上述のような問題点に鑑みてなされ、全バイアル瓶に対し均一な凍結乾燥作用を与えることができる凍結真空乾燥装置を提供することを課題とする。
【００１４】
【課題を解決するための手段】
以上の課題は、凍結真空乾燥庫内に上下に複数段配設された棚板と、前記凍結真空乾燥庫の一側壁に形成された開口と、該開口を開閉するゲートとを備え、前記ゲートを開にして前記開口から被凍結乾燥体を前記凍結真空乾燥庫内に入庫手段により上段より順次前記棚板上に供給し、前記被凍結乾燥体を凍結真空乾燥するようにした凍結真空乾燥方法において、所定数の被凍結乾燥体を供給された前記棚板内には冷媒を流すが、他の空の前記棚板には冷媒を流さないようにしたことを特徴とする凍結真空乾燥方法、によって解決される。
【００１５】
又は、凍結真空乾燥庫内に上下に複数段配設された棚板と、前記凍結真空乾燥庫の一側壁に形成された開口と、該開口を開閉するゲートとを備え、前記ゲートを開にして前記開口から被凍結乾燥体を前記凍結真空乾燥庫内に入庫手段により上段より順次前記棚板上に供給し、前記被凍結乾燥体を凍結真空乾燥するようにした凍結真空乾燥方法において、全段の前記棚板にそれぞれ所定数の被凍結乾燥体を供給するまでは、冷媒に該棚をバイパスさせるようにして前記棚板内には冷媒を流さないようにし、全段の前記棚板にそれぞれ所定数の被凍結乾燥体が供給されると、一斉に冷媒が各棚に流されて被凍結乾燥体が同等に冷却されることを特徴とする凍結真空乾燥方法、によって解決される。
【００１６】
又は、被凍結乾燥物を導入する為の開口を有し、複数の上下に配設された棚を内蔵する凍結真空乾燥庫と、冷媒を循環させる冷媒循環手段と、前記開口を開閉するゲートと、該ゲートを開放して外部から被凍結乾燥物を一個宛又は横一列宛、前記凍結真空乾燥庫内の前記棚の一つに被凍結乾燥物を供給する供給装置と、前記各棚を上下動させる棚昇降機構とを備え、前記棚内に前記冷媒循環手段により冷媒を流して、該棚上の前記被凍結乾燥物を冷凍させるようにした凍結真空乾燥装置において、前記冷媒循環手段にバイパス弁及び前記棚の数に応じた数の仕切弁を設け、所定数の被凍結乾燥物を供給されていない棚に対応する仕切弁は閉状態にして、該棚内には冷媒を流さないようにし、前記バイパス弁を介して冷媒に該棚をバイパスさせるようにした。特に、入庫の完了した棚を順次急冷していく場合、全段の棚が一様に急冷できるように冷媒流量を一定とするためのバイパス弁の開度をコントロールして圧力を一定に制御する機構を取り付けた
ことを特徴とする凍結真空乾燥装置、によって解決される。
【００１７】
以上の構成によって、バイアル瓶１が所定数供給されるまでは棚を除く装置部分が予め予冷されているだけで、棚にはまだ冷却されない状態でバイアル瓶１が次から次へと供給される。よって、バイアル瓶１中の薬液２が過冷却となることはない。また、入庫中の大気中の水分による障害のおそれもなくなる。したがって入庫時に衝撃が起こったとしても、薬液２が凍結することはないので、バイアル瓶の製品特性を均一化することができる。
【００１８】
【発明の実施の形態】
以下、図１、図２及び図３を参照して本発明の実施の形態による凍結真空乾燥装置について説明する。
【００１９】
図１は本発明の実施の形態による凍結真空乾燥装置を示すが上記従来例に対応する部分には同一の符号をつけて詳細な説明は省略する。
本発明の実施の形態によれば入口ヘッダー３０及び出口ヘッダー３２は、庫内ではなくて外部に配設される。入口ヘッダー３０と庫内の棚１２’1、棚１２’2、棚１２’3、棚１２’4、棚１２’5 との間には管路４０が各々接続され、棚１２’1、棚１２’2、棚１２’3、棚１２’4、棚１２’5 と出口ヘッダー３２との間には管路４０’が各々接続される。また、入口ヘッダー３０と出口へッダー３２とを接続するバイパス管路７１内には、バイパス弁兼流量コントロール弁８０が設けられており、この制御部８０ａと入口ヘッダー３０との間には、圧力調節器８２が設けられている。これにより入口ヘッダー３０内の圧力を検知し、検知出力に応じてバイパス弁兼流量コントロール弁８０の開度を調節するようにしている。
入口ヘッダー３０と各棚１２’1〜棚１２’5との間の管路４０には、棚板用仕切バルブ６０、６２、６４、６６、６８が配設されている。
また、出口ヘッダー３２の出口には真空乾燥の際に昇華してくる溶媒を凝縮させるために設けられるコールドトラップ５０が予冷のために接続されており、さらに、冷却装置３４を構成する媒体冷却器５１、冷媒循環ポンプ３６が接続されている。媒体冷却器５１には冷凍器５２が接続されている。
【００２０】
本発明の実施の形態による凍結真空乾燥装置は以上のように構成されるが、次にこの作用について説明する。
【００２１】
図１、図２及び図３において、ねずみ色で棚又はヘッダーを塗りつぶして示しているのは、冷媒が存在していること又は冷媒を通していることを示すものである。また各管路で実線で示しているものは、冷媒が通過している状態、鎖線で示しているものは、冷媒を通していない状態を示しているものである。次に各図を参照してこの作用を説明する。棚１２’1 〜棚１２’5 には上記従来例と同様にして、バイアル瓶１が入庫されるのであるが、図２では二段目以下の棚１２’2 〜棚１２’5 に冷媒が流されていない状態を示す。すなわち、図１ではバイパス弁兼流量コントロール弁８０は全開（バルブが黒く塗られているのは全開を示しており、白で示されているのは全閉を示している）となっている。
【００２２】
本発明の実施の形態によれば、バイアル瓶１が庫内にゲート１４’を上げて入庫される前に、図１で示すようにコールドトラップ５０、媒体冷却器５１、冷媒循環ポンプ３６が運転開始される。これにより冷媒循環ポンプ３６から冷媒が入口ヘッダー３０に供給され、今バルブ６０、６２、６４、６６、６８は全閉の状態であるので、バイパス弁兼流量コントロール弁８０を通って、更に出口ヘッダー３２を通ってコールドトラップ５０、媒体冷却器５１、冷媒循環ポンプ３６及び管路４２を通って、入口ヘッダー３０へと以下、同様にして冷媒が循環する。これにより凍結真空乾燥装置の各装置部分３６、５０、５１が予冷される。然しながら、仕切バルブ６０、６２、６４、６６、６８は閉であるので、各棚１２’1 〜棚１２’5  には冷媒は通されない。所定時間の予冷が終了すると、ゲート１４’が解放され従来例と同様にバイアル瓶１がプッシャー装置１８’により橋渡し板１６’と同一レベルにある棚にバイアル瓶１が順次奥へと入庫される。なお、この時、図２の棚１２’や図３の棚１２’3 のようにバイアル瓶１を入庫中の棚には冷媒は通されておらず常温の状態にある。従来のように先に入庫されたバイアル瓶１から冷却されることは無い。
【００２３】
本実施の発明の形態によれば、所定数のバイアル瓶１が棚１２’に入庫されると昇降機構３８を駆動させて、この棚板を上方へと移動させる。図３では、一段目及び二段目の棚１２’1及び１２’2を所定の位置に上昇させた状況を示すものである。この位置で、これら棚１２’1 、１２’2 に対応するバルブ６０、６２が黒く示されている様に全開とされる、これにより冷媒は入口ヘッダー３０及び管路４０を通ってこれら棚１２’1、１２’2  に冷媒が導入され、これらは冷却される。よって、バイアル瓶1およびこの内蔵物は、冷却開始される。
【００２４】
本発明の実施の形態によれば、従来例と同様にプッシャー装置１８’により順次開口１３’を通ってバイアル瓶１が図示する如く当接して棚に入庫されるのであるが、先頭のバイアル瓶１が最も強く冷却されるということは無く、棚板上の所定数のバイアル瓶１は同等に冷却されるので、従来のように部分的に過冷却となることはなく、従って庫内へのバイアル瓶１の入庫作業は円滑に行われると共に、バイアル瓶１同士の衝撃により振動を生じて過冷却状態にある内蔵物が凍結することは無く、一様な品質を保証することが出来る。
【００２５】
図３は、更に三段目の棚１２’3 にバイアル瓶１が供給される途中を示しているが同様な作用を受け、やはり均一性を保証することが出来る。この場合にも所定数のバイアル瓶１がこの棚１２’3 に供給されると、上方へと駆動されると共にバルブ６４が開弁されこの棚１２’3 に冷媒が通される。なお、この冷媒導入開始と共に昇降機構３８を駆動してもよいが、上方の所定位置へと上動させた後にバルブ６４を開動して冷媒を通すようにしてもよい。なお、バルブ６４を開弁するときには、上方のバルブ６０、６２は既に開弁しているので、冷媒の流量抵抗はバルブ６４の開弁により変動する。よって、棚１２’3 に導入される冷媒の圧力は変動するが本発明の実施の形態によれば、バイパス弁兼流量コントロール弁８０が入口ヘッダー３０内の圧力を検知し、これにより所定の圧力となるようにバイパス弁兼流量コントロール弁８０の制御部８０ａを調節するので、三段目の棚１２’3 にも一段目及び二段目と同様の冷却作用を与える。
【００２６】
以上の冷凍の後、図示しない真空排気系を駆動することにより凍結乾燥庫１１’内を排気する。さらに図示しない熱媒供給源へ冷媒供給源から切り替え、全仕切弁６０、６２、６４、６６、６８を開弁させて加熱する。これにより、バイアル瓶１内の溶剤又は水分は昇華、又は蒸発して乾燥が促進される。この場合にはコールドトラップ５０（ここには冷媒が流されている）により上述の昇華、蒸発により発生した蒸気が凝縮、捕集され、このコールドトラップ５０以降の真空排気系に悪影響を与えないようにしている。なお、この場合にはバイパス弁兼流量コントロール弁８０は全閉の状態にして１２’1 〜１２’5 をバイパスしないようにしておく。
【００２７】
以上、本発明の実施の形態について説明したが、勿論、本発明はこれに限定されることなく、本発明の技術的思想に基づいて種々の変形が可能である。
【００２８】
例えば以上の実施の形態では、上段から順々に一段ずつ棚１２’1〜１２’5  にバイアル瓶１を入庫し、これに対応する仕切バルブを順次開弁することにより冷却していったが、熱感受性の低い製品の場合には全段の入庫が完了してから一斉に冷却し凍結させてもよい。すなわち、図２、図３に示すように一段目、二段目の棚が図示した位置にあっても冷媒を通すことなく、すなわちバルブ６０、６２を開弁することなく他のバルブ６４、６６、６８と同様にまだ閉としておく。この状態で三段目の棚状棚１２’3 に図３に示すようにバイアル瓶１を入庫する。所定数入庫されると昇降機構３８の駆動により所定の位置へと上昇され、以下、最下段の棚１２’5 を橋渡し板１６’と同一レベルにしておいて図３に示す棚１２’3 と同様にバイアル瓶１が所定数入庫されると、ここでゲート１４’を閉じてバルブ６０、６２、６４、６６、６８を一斉に開とする。よって一斉に冷媒が各棚に１２’1 〜１２’5 に流されて各バイアル瓶１’は同等に冷却される。本発明の実施の形態の変形例においては一斉にバルブ６０、６２、６４、６６、６８  が開とされるので、圧力調節器８２は不要である。
【００２９】
また以上の実施の形態では、一段ずつバイアル瓶１を入庫し所定数のバイアル瓶の入庫が終わると所定位置へと上昇させて、これに対応するバルブを開弁させて冷媒を流すようにしたが、この一段毎ではなく二段毎、所定位置に上昇した時に冷媒を促すようにしてもよい。もちろん２段以上毎に所定位置に上昇させて冷媒を流すようにしてもよい。バルブ６０〜８０は各棚の位置に応じて開弁するようにすればよい。
【００３０】
また以上の実施の形態では、被凍結乾燥物としてバイアル瓶１が説明されたが薬品ではなく、食べ物や食品であってもよい。
【００３１】
【発明の効果】
以上述べたように本発明の凍結真空乾燥装置によれば、被凍結乾燥物、例えばバイアル瓶を全て均一な品質を保証して凍結乾燥させることが出来る。
また、自動入庫装置により入庫を行う場合でも、棚一段分全てのバイアル瓶が入庫されてから急冷を行うため、入庫の衝撃（振動）により製品の冷却特性が異なることなく、棚全体の一様な冷却特性が得られる効果を奏する。
棚を予め深く予冷しておく必要がないため、入庫時における棚への霜付きが起こらず、バイアル瓶及び入庫機構の障害となる恐れがない。また乾燥庫外部からの余分な水分の吸湿（凝結）が起きないため、高度な無菌性を保つ効果を奏する。
棚以外の部分は予め深い予冷を行っているため、棚を急冷することが可能になる効果を奏する。
棚を個別に急冷することが可能なため、入庫を行ないながら入庫完了した棚を急冷することができるため、熱感受性の高い製品に対し速やかな冷却が可能となる効果を奏する。
媒体入口ヘッダーに圧力センサーを設け、その圧力が一定となるようにバイパス弁の開度をフィードバック制御しているため、棚を順次個別冷却していく場合、全段一様に急冷することが可能になる効果を奏する。更に、冷凍機の能力としてより小さなものを使用することも可能である。
【図面の簡単な説明】
【図１】本発明の実施の形態による凍結真空乾燥装置の断面図である。
【図２】本発明の実施の形態による同作用を示す為の同断面図である。
【図３】本発明の実施の形態による同作用を示す為の同断面図である。
【図４】本発明の実施の形態及び従来例に適用される被凍結乾燥物としてのバイアル瓶の断面図である。
【図５】従来例の凍結真空乾燥装置の断面図である。
【図６】平面図でＡは庫内でバイアル瓶１が入庫される前の状況を示し、Ｂは庫内に導入される状況を示す。
【図７】従来例の各装置部分の冷却作用を示す為の断面図である。
【図８】同作用中の各装置部分の状況を示す断面図である。
【符号の説明】
１１’  凍結乾燥庫
１２’1 、１２’2 、１２’3 、１２’4 、１２’5     棚
３０    入口ヘッダー
３２    出口ヘッダー
４０、４０’  管路
６０、６２、６４、６６、６８    棚板用仕切バルブ
７１    バイパス管路
８０    バイパス弁兼流量コントロール弁
８２    圧力調節計
【図１】
0003871957.tif 000002
【図２】
0003871957.tif 000003
【図３】
0003871957.tif 000004
【図４】
0003871957.tif 000005
【図５】
0003871957.tif 000006
【図６】
0003871957.tif 000007
【図７】
0003871957.tif 000008
【図８】
0003871957.tif 000009